(57)【要約】      （修正有）【課題】シャフトのしなりに関する特性を調整することができるゴルフクラブ用グリップの選定方法を提供する。【解決手段】一端にヘッドが取り付けられるシャフト２の他端に装着されるゴルフクラブ用グリップ４の選定方法。シャフト２が先調子系のシャフト２である場合に、グリップ４の先端からグリップエンドに向かう所定距離の範囲内の先端領域の硬度が、ＪＩＳ−Ａ硬度計で６０〜７０度であるグリップ４とし、シャフト２が手元調子系のシャフト２である場合に、グリップ４の先端からグリップエンドに向かう所定距離の範囲内の先端領域の硬度が、ＪＩＳ−Ａ硬度計で３０〜４５度であるグリップ４とする。【選択図】図２
2011101815.tif 000002
【特許請求の範囲】
【請求項１】
一端にヘッドが取り付けられるシャフトの他端に装着されるゴルフクラブ用グリップの選定方法であって、
前記シャフトが先調子系のシャフトである場合に、前記グリップの先端からグリップエンドに向かう所定距離の範囲内の先端領域の硬度が、ＪＩＳ−Ａ硬度計で６０〜７０度であるグリップとし、
前記シャフトが手元調子系のシャフトである場合に、前記グリップの先端からグリップエンドに向かう所定距離の範囲内の先端領域の硬度が、ＪＩＳ−Ａ硬度計で３０〜４５度であるグリップとすることを特徴とするゴルフクラブ用グリップの選定方法。
【請求項２】
前記所定距離が５０〜７０ｍｍである請求項１に記載のゴルフクラブ用グリップの選定方法。
【発明の詳細な説明】
【技術分野】
【０００１】
本発明はゴルフクラブ用グリップの選定方法に関する。
【背景技術】
【０００２】
ゴルフクラブの種々の特性のうち、シャフトの「たわみ」ないしは「しなり」は、ボールの飛距離や球筋などに大きな影響を与えることから、従来、クラブ選定の際に重要視されている。そのため、柔らかいものから順にＪ、Ｌ、Ａ、Ｒ、（ＲＳ）、Ｓ、Ｘ、（ＸＸ）と表示される多くのシャフトが提供されている。
【０００３】
また、シャフトの「しなり」に関連して、かかる「しなり」のポイントがクラブの手元側にある手元調子のクラブ、当該ポイントがクラブのヘッド側にある先調子のクラブ、及び、その中間の中間調子のクラブが知られている。
【０００４】
このように、シャフト単体については、様々なゴルファー（ヘッドスピード、スイングのタイプ（ヒッター又はスインガー）、握力の強さ、身長などが異なるゴルファー）に適したものが提供されている。
【０００５】
ところで、シャフトの手元側端部にはグリップが装着され、このグリップについては、握ったときのフィーリング感の向上やフィット感の確保の観点より、種々の提案がなされている（例えば、特許文献１〜２参照）が、かかるグリップがシャフトの特性に影響を与えることに着目した提案は今までなされていない。
【先行技術文献】
【特許文献】
【０００６】
【特許文献１】特開２００３−１１７０３５号公報
【特許文献２】特開２００７−４１１号公報
【発明の概要】
【発明が解決しようとする課題】
【０００７】
本発明者は、グリップのうち、グリップ先端からグリップエンドに向かう所定距離の範囲内の先端領域の硬度が、シャフトの「しなり」に関する特性に影響を及ぼすことを見出し、本発明を完成するに至った。
【０００８】
本発明は、シャフトのしなりに関する特性を調整することができるゴルフクラブ用グリップの選定方法を提供することを目的としている。
【課題を解決するための手段】
【０００９】
本発明のゴルフクラブ用グリップの選定方法（以下、単に「選定方法」ともいう）は、一端にヘッドが取り付けられるシャフトの他端に装着されるゴルフクラブ用グリップの選定方法であって、
前記シャフトが先調子系のシャフトである場合に、前記グリップの先端からグリップエンドに向かう所定距離の範囲内の先端領域の硬度が、ＪＩＳ−Ａ硬度計で６０〜７０度であるグリップとし、
前記シャフトが手元調子系のシャフトである場合に、前記グリップの先端からグリップエンドに向かう所定距離の範囲内の先端領域の硬度が、ＪＩＳ−Ａ硬度計で３０〜４５度であるグリップとすることを特徴としている。
【００１０】
本発明の選定方法では、グリップ先端からグリップエンドに向かう所定距離の範囲内の先端領域の硬度を、シャフトのしなり特性に応じて、選定している。すなわち、しなりのポイントがクラブのヘッド側にある先調子系のシャフトの場合は、グリップの先端からグリップエンドに向かう所定距離の範囲内の先端領域の硬度を、ＪＩＳ−Ａ硬度計で６０〜７０度とするので、シャフトのグリップ側が硬いグリップで拘束されて、しなりが少なくなり、シャフト手元がしっかりする。このため、先調子というシャフトの特性を十分に発揮させることができる。
【００１１】
一方、しなりのポイントが手元側にある手元調子系のシャフトの場合は、グリップの先端からグリップエンドに向かう所定距離の範囲内の先端領域の硬度を、ＪＩＳ−Ａ硬度計で３０〜４５度とするので、シャフトの手元がグリップにより拘束されることなくマイルドになり、手元のしなりを感じやすくなる。
【発明の効果】
【００１２】
本発明の選定方法によれば、シャフトのしなりに関する特性を調整することができる。
【図面の簡単な説明】
【００１３】
【図１】本発明の選定方法により選定されたグリップを備えたゴルフクラブを示す図である。
【図２】図１に示されるゴルフクラブにおけるグリップ部分の拡大説明図である。
【発明を実施するための形態】
【００１４】
以下、添付図面を参照しつつ、本発明のゴルフクラブ用グリップの選定方法の実施の形態を詳細に説明する。
図１は、本発明の選定方法により選定されたグリップを備えたゴルフクラブ１を示しており、このゴルフクラブ１は、一端にヘッド３が取り付けられたシャフト２と、このシャフト２の他端に装着されたゴルフクラブ用グリップ（以下、単に「グリップ」ともいう）４とで構成されている。
【００１５】
ヘッド３は、ウッド型ゴルフクラブヘッドであり、そのヒール側の端部には、前記シャフト２の先端部２ａを差し込んで固定するためのシャフト差込口３ａが形成されている。なお、本実施の形態では、ウッド型ゴルフクラブヘッドが用いられているが、アイアン型のゴルフクラブヘッドを用いることも可能である。
【００１６】
シャフト２は、例えばＣＦＲＰ（炭素繊維強化プラスチック）などで作製された円筒体からなっており、その先端部２ａが前記ヘッド３のシャフト差込口３ａに差し込まれ、接着剤により固定されている。
【００１７】
グリップ４は、天然ゴム及び／又は合成ゴムを主成分とする加硫ゴム組成物で作製された円筒体からなっており、本実施の形態では、当該グリップ４のエンド側端部にエンドキャップ４ａが一体的に形成されている。合成ゴムとしては、例えばエチレンプロピレンジエンゴム（ＥＰＤＭ）、スチレンーブタジエン共重合体ゴム（ＳＢＲ）、ブタジエンゴム（ＢＲ）などを用いることができる。また、前記加硫ゴム組成物には、ゴム成分以外に、充填剤、加硫剤、加硫促進剤、軟化剤（オイル）、老化防止剤などの各種添加剤を配合することができる。
【００１８】
本発明では、前記シャフト２のしなりの特性を調整することができるように、グリップ４の先端からグリップエンドに向かう所定距離の範囲内の先端領域Ｒ１の硬度を通常のものよりも軟らかくするか、又は、通常のものよりも硬くしている。具体的に、先端領域Ｒ１の硬度を、ＪＩＳ−Ａ硬度計で６０〜７０度にするか、又は、３０〜４５度にしている。これにより、シャフト手元を拘束する程度を調整することができ、もってシャフトの特性を調整することができる。例えば、しなりのポイントがクラブのヘッド側にある先調子系のシャフト２の場合は、前記先端領域Ｒ１の硬度を、ＪＩＳ−Ａ硬度計で６０〜７０度とし、一方、しなりのポイントが手元側にある手元調子系のシャフト２の場合は、前記先端領域Ｒ１の硬度を、ＪＩＳ−Ａ硬度計で３０〜４５度とすることができる。
【００１９】
先調子系のシャフト２の場合に先端領域Ｒ１の硬度を大きくする（ＪＩＳ−Ａ硬度計で６０〜７０度）ことで、シャフト２のグリップ側が硬いグリップで拘束されて、しなりが少なくなり、シャフト手元がしっかりする。このため、先調子というシャフト２の特性を十分に発揮させることができる。また、手元調子系のシャフト２の場合に先端領域Ｒ１の硬度を小さくする（ＪＩＳ−Ａ硬度計で３０〜４５度）ことで、シャフトの手元がグリップにより拘束されることなくマイルドになり、手元のしなりを感じやすくなる。
先端領域Ｒ１の硬度は、前記範囲内であれば、好適にシャフトのしなり特性を調整することができるが、先端領域Ｒ１の硬度を大きくする場合、その硬度は、ＪＩＳ−Ａ硬度計で７０度とするのが好ましく、また、先端領域Ｒ１の硬度を小さくする場合、その硬度は、ＪＩＳ−Ａ硬度計で４０度とするのが好ましい。
【００２０】
前記先端領域Ｒ１のサイズは、本発明において特に限定されるものではないが、一般的なグリップ４の場合、４０〜１２０ｍｍ、好ましくは５０〜７０ｍｍとすることができる。ゴルファーがグリップ４を握った場合、通常、その最もヘッド側に位置する指からグリップ先端までの距離は５０〜７０ｍｍ程度である。この領域のグリップを所定の硬さにすることで、クラブの把持に影響を与えないできるだけ長い範囲のシャフト２のしなり特性を調整することができる。
【００２１】
本実施の形態では、グリップ４の外径が一定にされている。グリップ４の外径、すなわち肉厚を一定にすることで、グリップ４の製造工程を簡素化することができ、ひいてはコストダウンを図ることができる。
【００２２】
また、本実施の形態では、グリップ４の硬度を当該グリップ４の長手方向に沿って複数の領域、具体的には、３つの領域に分けている。すなわち、グリップ４の先端側から前記先端領域Ｒ１、ゴルファーの手が把持する領域Ｒ２、及び手元領域（グリップエンドの部分）Ｒ３の３つに分けている。これにより、フィット感、安心感（スイング中のグリップのずれがないこと）なども考慮して、各領域に適切な硬度を選定することができる。例えば、先端領域Ｒ１側から順にＪＩＳ−Ａ硬度計で７０度―５０度―７０度の硬度としたり、４０度―５０度―７０度の硬度としたりすることができる。グリップエンド部分Ｒ３の硬度をＪＩＳ−Ａ硬度計で７０度とすると、軟らかすぎて、クラブを長く持ったときに力がはいらないという不具合（７０度よりも小さい場合）がないので好ましい。なお、領域の数は、３に限定されるものではなく、２であってもよいし、４以上であってもよい。
【００２３】
軸方向において硬度が異なるグリップ４は、例えば、硬度が異なるシート状材料を並べて配置し、一体プレス成形することで得ることができる。
【００２４】
なお、前述した実施の形態では、グリップのエンドキャップを当該グリップと一体的に形成しているが、かかるエンドキャップを別体で作製し、グリップと組み合わせることもできる。この場合、エンドキャップは、グリップと別材料で作製することもできる。
【００２５】
また、前述した実施の形態では、グリップの外径を一定にしているが、これに限定されるものではなく、例えば、先端側を小径（薄肉）にし、グリップエンド側を大径（厚肉）にすることもできる。
【符号の説明】
【００２６】
１      ゴルフクラブ
２      シャフト
２ａ    先端部
３      ヘッド
３ａ    差込口
４      グリップ
４ａ    エンドキャップ
Ｒ１      先端領域
【図１】
2011101815.tif 000003
【図２】
2011101815.tif 000004